(57)【要約】【課題】一般的に用いられるようになってきたカメラ付き携帯電話機を更に価値ある機能や用途を付加することによって、例えば、盗難対策や防犯が可能な機能を付加して、新規な盗難対策や防犯手段の提供を目的とする。【構成】ＨＰは本発明の異常・緊急事態検知手段としての携帯電話機でインターネット接続機能及び電子メール送受信機能及びデータ送受信機能を備えており、また携帯電話機ＨＰには基本的な機能としてアンテナＡｎやスピーカーＳｐやマイクロフォンＭＰや表示パネルＳｃやキー入力部Ｋや外部制御端子Ｔが設けられており、夫々が携帯電話機ＨＰに内蔵された制御回路ＣＣに接続され夫々の機能を制御し、また携帯電話機ＨＰには異常事態や緊急事態を検知する手段である内蔵センサーＳ１やデジタルカメラである内蔵カメラＣ１や発光手段Ｆ１が内蔵され制御回路ＣＣに接続され制御されるようになっている。【選択図】        図１
2005311995.tif 000002
【特許請求の範囲】
【請求項１】
インターネット接続機能及び電子メール送受信機能及びデータ送受信機能を備えた携帯電話機を異常事態や緊急事態の情報やデータを発信したり受信したりする装置として用いる手段であり、前記携帯電話機に異常事態を検知する手段や緊急事態を検知する手段の中から少なくとも１種類以上選択して前記電話機に内蔵または着脱可能になるように設け、また前記検知手段からの検知情報の中から少なくとも１種類以上を選択して発信できるようにしたことを特徴とする、異常・緊急事態検知手段としての携帯電話機。
【請求項２】
前記携帯電話機には、前記事態の撮影手段を少なくとも１種類以上内蔵または着脱可能になるように設け、前記撮影手段で撮影した画像データを記録するメモリー手段を設け、このメモリー手段に記録されたデータを前記電子メール送受信機能を用いてインターネット回線によって画像管理サーバに送信するか、または／及び他の任意の携帯電話機に前記データを送信する手段を備えたことを特徴とする、請求項１に記載の異常・緊急事態検知手段としての携帯電話機。
【請求項３】
前記検知手段が、振動センサー、音センサー、熱センサー、スイッチセンサー、光センサー、加速度センサー、傾斜センサー、磁力センサー、感圧センサー、ガスセンサーの中から少なくとも１種類以上を設けることを特徴とする、請求項１または請求項２に記載の異常・緊急事態検知手段としての携帯電話機。
【請求項４】
前記携帯電話機には、前記検知手段を外部に少なくとも１種類以上着脱可能に設けることができるセンサー接続部を備え、または／及び前記撮影手段を外部に少なくとも１種類以上着脱可能に設けることができるカメラ接続部を備えたことを特徴とする、請求項１から請求項３のいずれかに記載の異常・緊急事態検知手段としての携帯電話機。
【請求項５】
前記携帯電話機には現在位置確認手段が内蔵または着脱可能になるように設け、前記撮影手段で撮影した画像データと、前記現在位置確認手段により得られた撮影時点での位置データとを記録するメモリー手段を設け、このメモリー手段に記録されたデータを前記電子メール送受信機能を用いてインターネット回線によって画像管理サーバに送信するか、または／及び他の任意の携帯電話機に前記データを送信することを特徴とする、請求項１から請求項３のいずれかに記載の異常・緊急事態検知手段としての携帯電話機。
【請求項６】
前記携帯電話機には、必要に応じてフラッシュライト、ストロボ等の発光手段を内蔵または外部に着脱可能になるよう設けることができ、前記事態を検知すると前記撮影手段に内蔵されたセンサーまたは前記携帯電話機を制御する制御回路からの信号によって前記発光手段が断続的または連続的に発光することを特徴とする、請求項１から請求項３のいずれかに記載の異常・緊急事態検知手段としての携帯電話機。
【発明の詳細な説明】
【技術分野】
【０００１】  本発明は、インターネット接続機能及び電子メール送受信機能を備えた携帯電話機を異常事態や緊急事態の情報を発信したり受信したりする装置として用いる手段であり、携帯電話機に異常事態を検知する手段や緊急事態を検知する手段を１種類以上選択して前記電話機に内蔵し、また前記検知手段からの検知情報を発信できるようにした、異常・緊急事態検知手段としての携帯電話機に関する。
【背景技術】
【０００２】  従来から、自動車などの車両は、車両自体も、車内に搭載されている車載機器も、盗難の目標となりうるので、各種の盗難防止対策が考えられていて、盗難対策の代表的なセキュリティ製品としては、運転手以外の者が車両に近づくと音を鳴らして犯人を車両に近づかせないようにするものや、ＩＤコードを入力しないと、パワーオンしないオーディオ機器等が知られている。
また、車等の防犯対策に使われるセキュリティ装置には、車等の盗難や、内部に搭載されている各種の機器を盗難から護るために開発されたもので、各部分の状態を検知する各種のセンサーからなる検出部と異常時に警報を発生して盗難を知らせる警報発生部と、前記検出部の出力に反応して選択的に前記警報発生部を作動させるセキュリティ装置本体部とにより構成されている。そして、車等の持ち主の操作によりセキュリティの電源をいれ、作動時にドアやトランクが開けられたり、ガラスを割られたり、傷を入れられたり、異常が発生した場合には、各センサーが取り付けられていて、振動、熱、音、等のセンサーが反応してアラーム作動モードに移行させ、警報発生部を作動させる。例えば、サイレンやブザー等の警告音を発生させたり。車の前照灯を点滅させたりし、周囲の者に異常を知らせるようにしている。【０００３】  また、近年のカメラ付き携帯電話の普及により、異常信号やカメラが捉えた異常時の画像をユーザが自分の携帯電話に送信できるようにした盗難対策や防犯手段も普及しつつある。【０００４】  また、近年では、盗難、強盗などの災害が多発する時代となり、日本の安全神話が崩れ去ろうとしていて、さらに人的な災害に限らず、ガス漏れや漏電、火災などに対してのセキュリティーに関心が高くなり、一般の家庭においてもセキュリティー手段を備える場合が多くなってきた。
そこで、近年になって、下記のような、カメラ付き携帯電話を盗難対策や防犯手段に用いた開発案件が増加してきた。【０００５】  例えば、撮影した画像データや音声データを電話回線を通じて受信装置に送り、必要に応じてデータを再生することができるようにした防犯携帯電話システムの提供を課題とし、解決手段として、携帯電話機にデジタルカメラと、ＧＰＳ等の自己位置決定手段とを備え、デジタルカメラで撮影した画像と、上記自己位置決定手段により得られた撮影時点での位置データと、一定時間の音声とを記録するメモリを設け、このメモリに記録されたデータを前記携帯電話機に内蔵したモデムで変調し、電話回線を通じて予め設定してある受信装置に送信し、上記受信装置には、携帯電話機から送信されたデータを着信毎に送信時間または着信時間データと共に記録して複数の着信時間毎のデータを記録することができるメモリと、このメモリに記憶された所望のデータを再生しうる再生装置を備えた、防犯携帯電話システムが知られている。（特開平１１−４１６６９号公報を参照する）【０００６】  また、携帯電話を利用して、容易に遠隔監視ができるセキュリティー機能付き携帯電話の提供を課題とし、解決手段として、映像を送受信できる携帯電話において、マイク内蔵のカメラ部を本体から離脱可能にし、さらにセンサー機能を有しセンサーが感知した場合に予め登録した携帯電話を自動コールする機能を備えたことを特徴とする、セキュリティー機能付き携帯電話の開発案件が知られている。（特開２００１−５３９０５号公報を参照する）【０００７】  また、常時携帯することを向上させるため、携帯用電話端末に警報音を発する防犯機能を付加し、普段は携帯電話として使用し、緊急事態時に警報音を発する防犯装置として使用できる携帯用防犯装置の提供を課題とし、解決手段として、スイッチ及びそのスイッチの操作により警報音を発する警報発音部とを備える防犯機構を、携帯用電話端末に内蔵又は着脱可能に取付けたことを特徴とする、携帯用防犯装置が知られている。（特開２００１−１０９９７６号公報を参照する）【０００８】  また、電流の漏れやガス漏れなどを２４時間常時監視することが出来る監視装置であって、この監視を携帯電話機を利用して行うようにしたセキュリティー装置としての携帯電話機の提供を課題とし、解決手段として、携帯電話機内にアナログ・ディジタル変換器、演算器、警報表示部及びモデムを内蔵し、センサーからの信号を入力する入力部を有し、異常が発生した時には所定の場所へ警報信号を送信することが出来る、セキュリティー装置としての携帯電話機が知られている。（特開２００３−１４３３２２号公報を参照する）【０００９】  また、運転者が特別な操作を行わずに盗難防止の自動セットを可能とし、センサを設置する際における配線を不要とし、センサから出力される検出信号の誤報を無くすと共に、新たに通信端子を設けることなく車両に備えられている既存のシガーライタ・ソケットを共通使用することができる自動車用盗難防止装置の提供を課題とし、解決手段として、自動車内のＤＣパワーラインに各種電子装置を接続して電源の供給を受けると同時に、上記ＤＣパワーラインに接続された各種電子装置及び端末��で通信を行うべく、該各種電子装置にはＤＣバスデバイスを内蔵し、既存のシガーライタ・ソケットに対応するシガーライタ・プラグは、個人照合識別機能と通信機能を有するＤＣバスデバイスが内蔵された構成となっており、ワイヤレスドアリモコンによりＩＤの入力及びドア開閉用と同期をとって車両のセキュリティーをＯＮ、ＯＦＦさせることができる、自動車用盗難防止装置が知られている。（特開２００３−１８２５２５号公報を参照する）【００１０】  また、下記のように、携帯電話とカメラの組合わせによって、盗難対策や防犯手段に応用した開発事例が増加してきた。
例えば、防犯対策を強化し、異常時に犯人像の写真を撮り、携帯電話で持ち主に連絡する事のできる防犯対策用カメラシステムと防犯対策用カメラシステムを装備した車の提供を課題とし、解決手段として、防犯対策を強化し、予備電源を備えることにより主電源が切断されたとしても作動し続け、撮影部で犯人像の写真を撮ることにより証拠が採れ、携帯電話発生装置で電話をかけ異常を知らせるようにした、防犯対策用カメラシステム、及び防犯対策用カメラシステムを装備した車が知られている。（特開２００１−４３４５６号公報を参照する）【００１１】  また、監視建物の異常を検知すると異常通報を行ない映像を送信できるセキュリティ電話機、異常が写っている映像を確認後に警察署又は消防署の電話機へ転送できる監視機能付き携帯電話機、及び異常監視装置の提供を課題とし、解決手段として、異常の発生を検知してオートダイヤルして異常通報・映像送信を行ない、又映像送信要求があると映像を送信するように構成されたセキュリティ電話機と、監視カメラと、タグ検知装置と、施錠状態を検知するセンサと、警告手段，警告手段と、建物関係者の監視機能付き携帯電話機と、電波発射機と、タグと、警察署の異常通報受付電話機と、消防署の異常通報受付電話機とからなり、異常通報機能を設定した状態において異常が発生すると、監視機能付き携帯電話機に電話をかけて異常通報と異常が映っている映像を送信する、セキュリティ電話機及び監視機能付き携帯電話機及び異常監視方法及び異常監視装置が知られている。（特開２００１−１６７３６５号公報を参照する）【００１２】  また、カメラと携帯電話機とが一体化したカメラ付き携帯電話機とこれを用いた防犯装置の提供を課題とし、解決手段として、被写体を撮影して画像データを得るカメラ部を搭載した携帯電話機であって、カメラ部からのこの画像データを取り込んでデータ処理を行なう画像信号処理手段と、これらの画像データを記憶保存するメモリ手段と、得られたこれらの画像データを比較する画像比較手段と、を備えて構成されることを特徴とする、携帯電話機および防犯装置が知られている。（特開２００２−１５２３４１号公報を参照する）【００１３】  また、デジタルカメラ付き携帯電話機を使用する安価な防犯システムの提供を課題とし、解決手段として、防犯システムは、デジタルカメラ付き携帯電話機が撮影した顔写真を画像管理サーバ装置に保存することで、実際に犯罪が発生した場合、モンタージュ写真として使用できる有効な証拠を提供できることを特徴とする車載型防犯装置とそれを用いた防犯システムが知られている。（特開２００２−３４２８６０号公報を参照する）【００１４】  また、フラッシュライトを防犯機能として利用する防犯機能付き携帯電話機及び携帯電話機用防犯アダプタの提供を課題とし、解決手段として、本体、受話器開口部、送話器開口部、ＬＣＤ、ダイヤルキー、四方向キー及び決定キー、デジタルカメラ、フラッシュライト、非常ボタン部により構成され、本携帯電話機は、インターネット接続機能及び電子メール送受信機能を有し、非常ボタンを押すと、携帯電話機の警報音出力部から大音量の警報が鳴ると共に、フラッシュライトが発光又は点滅発光し、フラッシュラ���トの発光時にカメラで証拠写真を撮影し、その写真を予め設定された警察や警備会社等のメールアドレスへ自動送信する案件が知られている。（特開２００３−２１９０６２号公報を参照する）【００１５】  また、他人が無断で自己の車両のエンジンをかけた場合又は車両のドアを開けた場合に、当該車両乗込み者の顔面を所持中の携帯電話機で直ちに確認することができると共に、当該携帯電話機やデータセンターのファイル装置に証拠として保存登録しておくことができることを課題とし、解決手段として、制御装置は、監視カメラが撮像した窃盗者の顔面の静止画像をデータセンターへ送信し、データセンターは、静止画像を一時保存し、車両番号に関連付けられた携帯電話機の所持者へ連絡し、携帯電話機の所持者が当該静止画像をチェックし窃盗者であると判断した場合に車両泥棒である旨の緊急連絡をデータセンターに送信し、この緊急連絡を受けたデータセンターは、車両側の送受信手段に対して警報信号を送信する車両盗難防止用監視システムが知られている。（特開２００４−８８３９７号公報を参照する）【００１６】  また、下記のように、携帯電話を複数に組合わせて、盗難対策や防犯手段に応用した開発事例が増加してきた。
例えば、対象物が盗難に遭った場合に、所有者の携帯電話に通知して何らかの警告を発することを課題とし、その解決手段として、対象物１側のＢｌｕｅｔｏｏｔｈモジュール３と、携帯電話２側のＢｌｕｅｔｏｏｔｈモジュール４を、通信・通信待機状態にセットし、モジュール４から、一定間隔でモジュール３をコールすると、対象物１が、所有者の身の回り１０ｍ以内にある場合、モジュール３は、モジュール４からコールがあったことを認識し、それに対する応答を返すことができ、モジュール４からの発信に対するモジュール３からの応答を受信出来なかった場合には、盗難が発生したものと判断し、携帯電話２を振動させるなどの着信と同じ動作を行わせて通知する。（特開２００２−１８３８６６号公報を参照する）【００１７】  また、駐・停車中の車両から遠く離れた場所に居る運転者や所有者、車両の管理者へ、車両の盗難を警報できる車両盗難警報システムの提供を課題とし、解決手段として、車両（Ａ）の振動やバッテリー（１６）の電圧変化、その他の異常状態を検知するセンサー（１０）と、その車両（Ａ）の運転者や所有者、管理者が所持する受信用携帯電話器（１９）の電話番号をメモリーダイヤルとして予じめ登録した自動呼出し用携帯電話器（１２）と、上記センサーからの検知信号に基き自動呼出し用携帯電話器を起動させて、上記受信用携帯電話器を呼び出すコントローラー（１１）とを悉く車両に搭載し、その車両から乗員が降りて離れる時に上記自動呼出し用携帯電話器を起動できる待機状態に保って、車両の異常状態を上記受信用携帯電話器が出力する警報信号により、遠方に居る車両の運転者や所有者、管理者へ知らせるように定めた。（特開２００１−３１５６１９号公報を参照する）【００１８】  また、警報部が盗難防止装置から切断されたり、車載バッテリから盗難防止装置への電源供給が遮断されたり、或いは盗難防止装置自体が取り外されたりしても、遠隔地にいる監視依頼者に対して監視車両における異常事態を確実に通報できることを課題とし、解決手段として、異常検出手段１２４ａにて盗難防止装置１３に関する異常が検出されると、所定の通信網を介して、異常送信手段１２３にてこの異常が車両特定情報１２５ａと共に送信される。これら異常及び車両特定情報１２５ａは異常受信手段５１ａ（インターネット対応携帯電話）にて受信され、送信先取得手段５１ｂにて車両特定情報１２５ａに対応する送信先が取得され、この送信先に向けて異常通報手段５１ｃ（インターネット対応携帯電話）にて異常が通報される。（特開２００３−１７８３８０号公報を参照する）
【発明の開示】
【発明が解決しようとする課題】
【００１９】
【００２０】  ところが、上述した従来の携帯電話機を利用した盗難対策や防犯手段にあっては、次のような問題点が指摘されていた。
（イ）従来の携帯電話機を利用した盗難防止・通知システムでは、センサーの配線の関係で、簡単な構成で容易に使用できるシステムを実現することは困難であるという指摘があった。
（ロ）また、異常事態や緊急事態を検知したセンサーからの信号により、これらの事態の画像の撮像および画像データの送信を行うことはできるが、センサーなどの誤動作や信頼性に問題があるという指摘があった。【００２１】（ハ）また、上述した従来の車両などの盗難対策や防犯手段は、ある一定の犯罪者には通用するが、ある一部知能犯罪者にセキュリィティ手段を外されてしまうとか、高級車や大型車両までもが盗難の対象となっていたり、持ち主がすぐ近くにいないか、盗難対策や防犯手段は作動したが犯人が逃げている場合が多い。
（ニ）また、上述した従来の盗難対策や防犯手段においては、例えば、携帯電話機の他に、別体のセンサーユニットを有する電子装置を常に持ち運びしなければならず不便であり、また、コンパクト性・収納性・携帯性・操作性・コスト性などの面においても様々な改良されるべき問題が生じていた。【００２２】  本発明は、上記の課題を解決するために成されたものであり、携帯電話機を用いて容易に使用できる簡単な構成のシステムで、対象物が盗難に遭った場合に、所有者の携帯電話機に通知して何らかの警告を発することを目的とする。
また、新たにセンサーなどを設けることなく、監視対象の建造物に侵入者等を検知したり火災が発生したときにそれを検知し、これらの画像データを、インターネット経由で画像管理サーバーに対して行うことができる盗難対策や防犯手段を得ることを目的とする。【００２３】  また、本発明は、建物関係者が外出先で建物内に不法侵入や火災が発生していないか確認したいとき、或いは夫婦が共働き家庭で小学生の子供が学校から帰り一人で居るとき、或いは寝たきりの要介護老人の監視が必要なときに子供や要介護老人が過ごしている状況を外出先で映像で見たいとき、或いはペットだけにして管理する必要があり他の場所から映像で見たいときなどに、外部からの映像を要求する信号を受信して映像信号や音声信号やセンサー信号を送信する手段を備えた携帯電話機であるが、使い勝手が良い盗難対策や防犯手段の提供を目的としている。【００２４】  また、本発明は、一般的に用いられるようになってきたカメラ付き携帯電話機を更に価値ある機能や用途を付加することによって、例えば、盗難対策や防犯が可能な機能を付加して、新規な盗難対策や防犯手段の提供を目的としている。
【課題を解決するための手段】
【００２５】  課題を解決するための第１の手段として、インターネット接続機能及び電子メール送受信機能及びデータ送受信機能を備えた携帯電話機を異常事態や緊急事態の情報やデータを発信したり受信したりする装置として用いる手段であり、前記携帯電話機に異常事態を検知する手段や緊急事態を検知する手段の中から少なくとも１種類以上選択して前記電話機に内蔵または着脱可能になるように設け、また前記検知手段からの検知情報の中から少なくとも１種類以上を選択して発信できるようにしたことを特徴とする、異常・緊急事態検知手段としての携帯電話機の提供を目的とする。【００２６】  なお、本明細書では携帯電話機について主に記載するが、インターネット接続機能及び電子メール送受信機能及びデータ送受信機能を備えたものであれば、携帯電話機以外の移動体通信端末装置例えば、ＰＨＳ電話機・携帯無線機・モバイル端末・パソコン・情報端末などについても、本発明が適用できる。また、前記電話機や前記端末機に関しては、送信専用端末機とか受信専用端末機という利用方法も可能である。さらに、前記電話機や前記端末機に関しては、バッテリー手段や電源供給手段は長時間対応になっているのが好ましく、本発明が、長時間固定して使用できるように、自動的に充電される手段や、家庭用・業務用の固定電源から接続して利用できるようになっているのが好ましい。
また、本明細書でいうところの異常事態や緊急事態に関しては、物品や構造物や人体に対する、犯罪的行為や破壊的行為や自然災害や火災などをいう。前記事態を検知する手段に関しては、犯罪的行為の情報や破壊的行為の情報や自然災害の情報や火災情報をアナログ信号やデジタル信号に変換することが可能ならば何を用いても構わない。
異常事態を検知する手段や緊急事態を検知する手段に関しては、例えば、センサー手段やスイッチ手段やカメラ手段やマイクロフォン手段などをそれに用いることが可能である。また、マイクロスイッチを利用することも可能であり、例えば大型機材や重量物体の場合などに有効であり、大型機材や重量物体の接地部分にマイクロスイッチをセットしておき、大型機材や重量物体が持ち上げられればスイッチが作動、発信を行う仕組みになっている。また、振動検知スイッチなども知られており、特定の周波数域で動作する仕組みになっていて、板バネ状の接点が共振する現象を利用していて、例えば、監視対象物体がトラック等に積まれて、振動（周波数域２Ｈｚ〜１０Ｈｚ）が一定時間働けば発信を行う。【００２７】  課題を解決するための第２の手段として、前記携帯電話機には、前記事態の撮影手段を少なくとも１種類以上内蔵または着脱可能になるように設け、前記撮影手段で撮影した画像データを記録するメモリー手段を設け、このメモリー手段に記録されたデータを前記電子メール送受信機能を用いてインターネット回線によって画像管理サーバに送信するか、または／及び他の任意の携帯電話機に前記データを送信する手段を備えたことを特徴とする、課題を解決するための第１の手段に記載の異常・緊急事態検知手段としての携帯電話機の提供を目的とする。【００２８】  前記撮影手段に関しては、静止画カメラタイプとしては、白黒対応でもカラー対応でもよく、アナログ対応でもデジタル対応でもよく、可視光線タイプも赤外線タイプも紫外線タイプもＸ線タイプも電子線タイプも光電子倍増タイプでも使用可能であり、動画カメラタイプとしては、白黒対応でもカラー対応でもよく、アナログ対応でもデジタル対応でもよく、可視光線タイプも赤外線タイプも紫外線タイプもＸ線タイプも電子線タイプも光電子倍増タイプでも使用可能であり、さらに、撮像した画像の変化を認識する人工網膜ＩＣの使用も可能である。
また、前記携帯電話機には、前記メモリー手段としては、画像データや文字データや音声データが、書き変え可能なタイプでも読み取り専用のタイプでも一般的に知られたタイプであれば何を用いても構わず、さらに、必要に応じて複数設けてもよい。
また、前記携帯電話機には、カメラ制御部が設けられており、本発明に必要とされる動作は予めカメラ制御部で制御できるようになっている。例えば、タイマー手段を備えており、必要な間隔でデータや画像を画像管理サーバや指定された携帯電話に送信できるようになっている【００２９】  課題を解決するための第３の手段として、前記検知手段が、振動センサー、音センサー、熱センサー、スイッチセンサー、光センサー、加速度センサー、傾斜センサー、磁力センサー、感圧センサー、ガスセンサーの中から少なくとも１種類以上を設けることを特徴とする、課題を解決するための第１の手段または課題を解決するための第２の手段に記載の異常・緊急事態検知手段としての携帯電話機の提供を目的とする。【００３０】  振動センサーに関しては、振動をアナログ信号またはデジタル信号に変換する手段を備えていれば、機種や種類に拘らず何でも利用することが可能である。音センサーに関しては、音波をアナログ信号またはデジタル信号に変換する手段を備えていれば、機種や種類に拘らず何でも利用することが可能である。熱センサーに関しては、熱や火焔や赤外線をアナログ信号またはデジタル信号に変換する手段を備えていれば、機種や種類に拘らず何でも利用することが可能である。スイッチセンサーに関しては、接触状況や非接触状況をアナログ信号またはデジタル信号に変換する手段を備えていれば、機種や種類に拘らず何でも利用することが可能である。光センサーに関しては、可視光線や紫外線や赤外線をアナログ信号またはデジタル信号に変換する手段を備えていれば、機種や種類に拘らず何でも利用することが可能である。加速度センサーに関しては、停止したものが急に移動した場合の変化をアナログ信号またはデジタル信号に変換する手段を備えていれば、機種や種類に拘らず何でも利用することが可能である。傾斜センサーに関しては、停止していたものが急に傾いた場合の変化をアナログ信号またはデジタル信号に変換する手段を備えていれば、機種や種類に拘らず何でも利用することが可能である。磁力センサーに関しては、磁力を発するものを持つ侵入者の有無をアナログ信号またはデジタル信号に変換する手段を備えていれば、機種や種類に拘らず何でも利用することが可能である。感圧センサーに関しては、圧力を感じるとアナログ信号またはデジタル信号に変換する手段を備えていれば、機種や種類に拘らず何でも利用することが可能である。ガスセンサーに関しては、火災時の煙・不完全燃焼ガスやプロパンガスや都市ガスのをアナログ信号またはデジタル信号に変換する手段を備えていれば、機種や種類に拘らず何でも利用することが可能である。【００３１】  課題を解決するための第４の手段として、前記携帯電話機には、前記検知手段を外部に少なくとも１種類以上着脱可能に設けることができるセンサー接続部を備え、または／及び前記撮影手段を外部に少なくとも１種類以上着脱可能に設けることができるカメラ接続部を備えたことを特徴とする、課題を解決するための第１の手段から課題を解決するための第３の手段のいずれかに記載の異常・緊急事態検知手段としての携帯電話機の提供を目的とする。【００３２】  前記センサー接続部に関しては、前記検知���段を携帯電話の任意の部位に１種類以上設けることができる構造になっていれば、一般的に知られた手段またはどんな手段でも構わない。また、前記撮影手段を携帯電話の任意の部位に１種類以上設けることができる構造になっていれば、一般的に知られた手段またはどんな手段でも構わない。また、前記着脱可能な手段に関しては、配線用ピンや配線用プラグや配線用コネクターなどの配線接続用の器具を着脱用具として使用可能であり、また、配線用のコードやケーブルの長さは任意であり、さらに無くとも使用可能である。【００３３】  課題を解決するための第５の手段として、前記携帯電話機には現在位置確認手段が内蔵または着脱可能になるように設けられ、前記撮影手段で撮影した画像データと、前記現在位置確認手段により得られた撮影時点での位置データとを記録するメモリー手段を設け、このメモリー手段に記録されたデータを前記電子メール送受信機能を用いてインターネット回線によって画像管理サーバに送信するか、または／及び他の任意の携帯電話機に前記データを送信することを特徴とする、課題を解決するための第１の手段から課題を解決するための第３の手段のいずれかに記載の異常・緊急事態検知手段としての携帯電話機の提供を目的とする。【００３４】  ＧＰＳ［ｇｌｏｂａｌ  ｐｏｓｉｔｉｏｎｉｎｇ  ｓｙｓｔｅｍ］とは、全世界的な無線測位システムであり、２４個の衛星を用いて，２４時間切れ目なく三次元測位を可能にする手段である。ＧＰＳユニットは、静止軌道を回るＧＰＳ衛星からの電波を受信し、その情報から３次元測量を行って自分の位置を測定する。ＧＰＳユニットは、自身から位置情報を発信しないので、これと発信手段を組み合わせてシステムを構成する。この場合、位置情報については例えば複数のＧＰＳ衛星の信号を利用して位置を求めてもよく、又携帯電話や携帯情報端末の信号を受信している複数の基地局との関係で位置を求めてもよい。また、位置情報という場合、位置を示すデータをいうが、複数の基地局との関係で位置を求める場合には携帯電話や携帯情報端末の信号はどのような信号であってもよい。
ＧＰＳユニットを利用する動作フローを説明する。
（１）前記検知手段で、異常事態や緊急事態を検知する。
（２）本発明の携帯電話に内蔵されたＧＰＳユニットから位置情報を受け取り、その結果を前記電子メール送受信機能で画像管理サーバに送信する。
なお、ＧＰＳ衛星の利用時で、誤差５０ｍ程度の位置情報が得られるため、例えば盗難後の追跡が容易であり、携帯電話やＰＨＳの電波の届かない地域であっても、盗難検知後の位置情報を前記メモリー手段に蓄えておくことで、通信が可能となった時点で、通話可能圏内にいる受信者や画像管理サーバに送信する。
なお、前記メモリー手段に関しては、画像データや文字データや音声データが、書き変え可能なタイプでも読み取り専用のタイプでも一般的に知られたタイプであれば何を用いても構わず、さらに、必要に応じて複数設けてもよい。【００３５】  課題を解決するための第６の手段として、前記携帯電話機には、必要に応じてフラッシュライト、ストロボ等の発光手段を内蔵または外部に着脱可能に設けることができ、前記事態を検知すると前記撮影手段に内蔵されたセンサーまたは前記携帯電話機を制御する制御回路からの信号によって前記発光手段が断続的または連続的に発光することを特徴とする、課題を解決するための第１の手段から課題を解決するための第３の手段のいずれかに記載の異常・緊急事態検知手段としての携帯電話機の提供を目的とする。【００３６】  前記発光手段は、放電管タイプでも半導体発光素子タイプでもどちらでも使用可能であり、本発明の携帯電話に内蔵されていてもよいし、外部に接続されるようになっていてもよい。また、可視光線タイプの発光手段でも赤外線タイプの発光手段でも紫外線タイプの発光手段でも使用可能である。また、複数利用できるようになっていても構わない。また、前記着脱可能な手段に関しては、配線用ピンや配線用プラグや配線用コネクターなどの配線接続用の器具を着脱用具として使用可能であり、また、配線用のコードやケーブルの長さは任意であり、さらに無くとも使用可能である。
【発明の効果】
【００３７】  本発明の異常・緊急事態検知手段としての携帯電話機によれば、以下の効果を得ることができる。
本発明によれば、本発明の携帯電話機一台で、車両用の盗難対策や防犯手段だけでなく、建造物内外の盗難対策や防犯手段としての使用や、さらに、物品の盗難対策や防犯手段または人体の防犯手段や安全確認手段としても使用可能な携帯電話機を提供できる。【００３８】  本発明の異常・緊急事態検知手段としての携帯電話機の検知手段に、煙センサー、火災センサー、ガス漏れセンサーを採用し建造物内外に本発明を設置することによって、異常信号をキャッチすると検出信号に応じた異常情報を発信したり、または、前記電子メール送受信機能を用いてインターネット回線によって画像管理サーバに送信することで、本発明の使用者は外出先にいても常時異常通報を受けることができることで、本発明の携帯電話機を建造物や構造物の災害早期発見用装置や災害予知装置としての使用が可能である。【００３９】  また本発明を盗難検知対象物となる物品の近くか、物品が存在する空間の監視上適切と判断される位置に設置することで、対象物品が盗難に遭った場合には、任意の携帯電話で盗難を知ることができる。【００４０】  また本発明は、任意の場所に容易に設置できるので、例えば、前記センサーまたは人体・生体センサーなどの利用によって、留守宅や閉店後の店舖および事務所等、あらゆる場所への侵入者の監視等のほか、熱センサーによる火災の監視、又は、外出先からの自宅に残した幼児や介護老人やペットの様子を監視するとか、病人がセンサーにコール信号を送ることにより、登録された携帯電話を自動コールするなど、任意の場所を任意の時間に、容易に状況監視ができる。【００４１】  また本発明は、複数のセンサーや複数のカメラの接続が可能であり、複数の検知情報や複数の画像データを検討できることで、誤動作を減少させたり、確実性の高い情報を得ることができる。【００４２】  また本発明によれば、前記撮影手段からの画像データや前記検知手段からの検知データを前記電子メール送受信機能を用いてインターネット回線によって画像管理サーバに送信するようにしたので、異常事態検知手段や緊急事態検知手段としての携帯電話機が、インターネット回線接続手段を備え電子メール送受信機能を備えていれば携帯電話機の機種や種類は選ばず一般的に入手しやすい機種や種類を用いることが可能になる。【００４３】  さらに、上述した発明の効果によって、本発明の携帯電話機を監視したい場所に設置することによって、受信用携帯電話機に対して自動的に異常事態や緊急事態の通報および異常事態や緊急事態の画像を電子メールデータとして送信することができる小型の防犯装置や防災装置や災害対策装置や病人監視装置や子供の安全対策装置として活用できる効果がある。また、電子メールを利用しているため送信側の携帯電話機と受信側の携帯電話機の対応が任意および２４時間の対応が可能となり、同時に複数の受信用携帯電話機に向けて電子メールデータの送信を行うことができ、ある受信用携帯電話機が電子メールデータを受信不可能な状態にあったとしても、別の受信用携帯電話機により電子メールデータを受信することができ、異常を伝えることができる。【００４４】  本発明の携帯電話機においては、前記撮影手段の例えばデジタルカメラを制御する手段を���えて構成されるので、デジタルカメラの操作や画像データ収集を自動的で容易に管理して動作させることができる。【００４５】  また、本発明では電子メールを利用していてそのための無線通信手段として定額制のインターネット高速回線の使用が可能なので、本発明の運用が極めて簡単で低コストにして得られる。
さらに、本発明に従えば、上述した発明の効果によって、犯罪を監視したい場所に設置した本発明の携帯電話カメラで犯人を撮像した映像をインターネットなどを通じて外部に転送するので、Ｗｅｂサイトの応用活用によってはインターネットなどを通じて犯人の映像を広汎に配布することなども可能になり、犯人逮捕に結びつけることができる。【００４６】
【００４７】
【発明を実施するための最良の形態】
【００４８】  以下、本発明である異常・緊急事態検知手段としての携帯電話機の実施の形態について、図１〜図６に基づいて説明する。
図１は本発明の実施の形態例を示す概略説明図である。図２は本発明の実施の形態例を示す概略説明図である。図３は本発明の実施の形態例を示す概略説明図である。図４は本発明の実施の形態例を示す概略説明図である。図５は本発明の実施の形態例を示すブロック図である。図６は本発明の実施の形態例を示す概略説明図である。
【実施例１】
【００４９】  図１と図５と図６に示す本発明の実施の形態例では、ＨＰは本発明の異常・緊急事態検知手段としての携帯電話機でインターネット接続機能及び電子メール送受信機能及びデータ送受信機能を備えており、また携帯電話機ＨＰには基本的な機能としてアンテナＡｎやスピーカーＳｐやマイクロフォンＭＰや表示パネルＳｃやキー入力部Ｋや外部制御端子Ｔが設けられており、夫々が携帯電話機ＨＰに内蔵された制御回路ＣＣに接続され夫々の機能を制御するようになっていて、また携帯電話機ＨＰには本実施の形態例の特徴的な機能である物品や構造物や人体の異常事態を検知するセンサーまたは物品や構造物や人体の緊急事態を検知するセンサーの中から選択して少なくとも１種類以上で携帯電話機ＨＰに内蔵される内蔵センサーＳ１が設けられ制御回路ＣＣに接続され制御されるようになっていて、また携帯電話機ＨＰには内蔵センサーＳ１と連動して作動するように内蔵されたデジタルカメラである内蔵カメラＣ１が設けられ制御回路ＣＣに接続され制御されるようになっていて、また携帯電話機ＨＰには内蔵カメラＣ１と連動して作動するように内蔵されたフラッシュライト、ストロボ等の発光手段Ｆ１が設けられ制御回路ＣＣに接続され制御されるようになっている。
なお、本実施の形態例では、内蔵センサーＳ１には目的に応じて上述したセンサーの中から選択して用いればよい。【００５０】  また図１と図５と図６より、本発明を利用した車両の携帯電話機ＨＰに異常事態または緊急事態が生じ、前記事態を検知した内蔵センサーＳ１は制御回路ＣＣに検知信号を送り、制御回路ＣＣの指示により内蔵カメラＣ１は作動し、内蔵カメラＣ１からの画像データや内蔵センサーＳ１からの検知データが制御回路ＣＣに接続され制御されるメモリー手段Ｍに一時記録され、制御回路ＣＣに接続され制御される電子メール送受信機能やデータ送受信機能が作動しインターネット回線を介して所定の画像管理サーバまで通信接続された時にメモリー手段Ｍからの画像データや検知データが画像管理サーバに送信するが、何かの事情で通信接続されない場合は、繰り返し何度でもこれらの動作を繰り返す。また、必要とする場合は、制御回路ＣＣに接続され制御される自動ダイアル機能により、メモリー手段Ｍに事前に登録された一台以上の携帯電話機に所定の日時にメモリー手段Ｍからの画像データや検知データが送信されるが、何かの事情で通信接続されない場合は、繰り返し何度でもこれらの動作を繰り返す。
なお、本発明の携帯電話機ＨＰを長時間固定で異常事態や緊急事態の監視用で利用される場合は、外部制御端子Ｔを介して外部電源が利用できる。
なお、図６の画像管理サーバは、プロバイダーの画像管理サーバを利用してもよいし、自社ＷＥＢサーバに画像管理サーバを設けてもよい。
また、図６より本発明の利用者は、例えば、携帯電話機ＨＰを搭載した車両の異常事態や緊急事態をインターネット接続した携帯電話や端末機であればどれでも利用できるようになっている。
【実施例２】
【００５１】  図２と図５と図６に示す本発明の実施の形態例では、ＨＰは本発明の異常・緊急事態検知手段としての携帯電話機でインターネット接続機能及び電子メール送受信機能及びデータ送受信機能を備えており、また携帯電話機ＨＰには基本的な機能としてアンテナＡｎやスピーカーＳｐやマイクロフォンＭＰや表示パネルＳｃやキー入力部Ｋや外部制御端子Ｔが設けられており、夫々が携帯電話機ＨＰに内蔵された制御回路ＣＣに接続され夫々の機能を制御するようになっていて、また携帯電話機ＨＰには本実施の形態例の特徴的な機能である物品や構造物や人体の異常事態を検知するセンサーまたは物品や構造物や人体の緊急事態を検知するセンサーの中から選択して少なくとも１種類以上で携帯電話機ＨＰに内蔵される内蔵センサーＳ１と内蔵センサーＳ２が設けられ制御回路ＣＣに接続され制御されるようになっていて、また携帯電話機ＨＰには内蔵センサーＳ１や内蔵センサーＳ２と連動して作動するように内蔵されたデジタルカメラである内蔵カメラＣ１と例えば夜の車両の監視や暗い室内の監視や侵入者の監視や火災の監視に利用できる赤外線カメラを用いた内蔵カメラＣ２が設けられ制御回路ＣＣに接続され制御されるようになっていて、内蔵カメラＣ１に設けられた光度センサーにより制御回路ＣＣの制御によって内蔵カメラＣ１と内蔵カメラＣ２は同時に作動するか使い分けられるようになっている。
なお、本実施の形態例では、内蔵センサーＳ１と内蔵センサーＳ２には目的に応じて上述したセンサーの中から選択して用いればよい。【００５２】  また図２と図５と図６より、本発明を利用した車両の携帯電話機ＨＰに異常事態または緊急事態が生じ、前記事態を検知した内蔵センサーＳ１と内蔵センサーＳ２は個別にまたは連動して制御回路ＣＣに検知信号を送り、制御回路ＣＣの指示により内蔵カメラＣ１と内蔵カメラＣ２は個別にまたは連動して作動し、内蔵カメラＣ１や内蔵カメラＣ２からの画像データや内蔵センサーＳ１や内蔵センサーＳ２からの検知データが制御回路ＣＣに接続され制御されるメモリー手段Ｍに一時記録され、制御回路ＣＣに接続され制御される電子メール送受信機能やデータ送受信機能が作動しインターネット回線を介して所定の画像管理サーバまで通信接続された時にメモリー手段Ｍからの画像データや検知データが画像管理サーバに送信するが、何かの事情で通信接続されない場合は、繰り返し何度でもこれらの動作を繰り返す。また、必要とする場合は、制御回路ＣＣに接続され制御される自動ダイアル機能により、メモリー手段Ｍに事前に登録された一台以上の携帯電話機に所定の日時にメモリー手段Ｍからの画像データや検知データが送信されるが、何かの事情で通信接続されない場合は、繰り返し何度でもこれらの動作を繰り返す。
なお、本発明の携帯電話機ＨＰを長時間固定で異常事態や緊急事態の監視用で利用される場合は、外部制御端子Ｔを介して外部電源が利用できる。
なお、図６の画像管理サーバは、プロバイダーの画像管理サーバを利用してもよいし、自社ＷＥＢサーバに画像管理サーバを設けてもよい。
また、図６より本発明の利用者は、例えば、携帯電話機ＨＰを搭載した車両の異常事態や緊急事態をインターネット接続した携帯電話や端末機であればどれでも利用できるようになっている。
【実施例３】
【００５３】  図３と図５と図６に示す本発明の実施の形態例では、ＨＰは本発明の異常・緊急事態検知手段としての携帯電話機でインターネット接続機能及び電子メール送受信機能及びデータ送受信機能を備えており、また携帯電話機ＨＰには基本的な機能としてアンテナＡｎやスピーカーＳｐやマイクロフォンＭＰや表示パネルＳｃやキー入力部Ｋや外部制御端子Ｔが設けられており、夫々が携帯電話機ＨＰに内蔵された制御回路ＣＣに接続され夫々の機能を制御するようになっていて、また携帯電話機ＨＰには本実施の形態例の特徴的な機能である物品や構造物や人体の異常事態を検知するセンサーまたは物品や構造物や人体の緊急事態を検知するセンサーの中から選択して少なくとも１種類以上で携帯電話機ＨＰに内蔵される内蔵センサーＳ１が設けられ制御回路ＣＣに接続され制御されるようになっていて、また携帯電話機ＨＰには内蔵センサーＳ１と連動して作動するように内蔵されたデジタルカメラである内蔵カメラＣ１が設けられ制御回路ＣＣに接続され制御されるようになっていて、また携帯電話機ＨＰの外部には上述したセンサーの中から選択した任意のセンサーを外部センサーＳ３として制御回路ＣＣに接続できるように外部センサー接続部Ｃｎ１が設けられ制御回路ＣＣに制御されるようになっていて、また携帯電話機ＨＰの外部には上述したカメラの中から選択した任意のカメラを外部カメラＣ３として制御回路ＣＣに接続できるように外部カメラ接続部Ｃｎ２が設けられ制御回路ＣＣに制御されるようになっていて、また携帯電話機ＨＰの外部には上述した発光手段の中から選択した任意の発光手段を発光手段Ｆ２として制御回路ＣＣに接続できるように外部発光接続手段Ｃｎ３が設けられ制御回路ＣＣに制御されるようになっている。
なお、本実施の形態例では、外部センサーＳ３や外部カメラＣ３や発光手段Ｆ２と外部センサー接続部Ｃｎ１や外部カメラ接続部Ｃｎ２や外部発光接続手段Ｃｎ３とは任意の長さのケーブルで接続されており、このケーブルに設けられた所定の接続具（図示せず）と外部センサー接続部Ｃｎ１とは着脱可能になっている。【００５４】  また図３と図５と図６より、本発明を利用した車両の携帯電話機ＨＰに異常事態または緊急事態が生じ、前記事態を検知した内蔵センサーＳ１や外部センサーＳ３は制御回路ＣＣに検知信号を送り、制御回路ＣＣの指示により内蔵カメラＣ１や外部カメラＣ３は作動し必要に応じて設けた発光手段Ｆ２を必要に応じて発光させ、内蔵カメラＣ１や外部カメラＣ３からの画像データや内蔵センサーＳ１や外部センサーＳ３からの検知データが制御回路ＣＣに接続され制御されるメモリー手段Ｍに一時記録され、制御回路ＣＣに接続され制御される電子メール送受信機能やデータ送受信機能が作動しインターネット回線を介して所定の画像管理サーバまで通信接続された時にメモリー手段Ｍからの画像データや検知データが画像管理サーバに送信するが、何かの事情で通信接続されない場合は、繰り返し何度でもこれらの動作を繰り返す。また、必要とする場合は、制御回路ＣＣに接続され制御される自動ダイアル機能により、メモリー手段Ｍに事前に登録された一台以上の携帯電話機に所定の日時にメモリー手段Ｍからの画像データや検知データが送信されるが、何かの事情で通信接続されない場合は、繰り返し何度でもこれらの動作を繰り返す。
なお、本発明の携帯電話機ＨＰを長時間固定で異常事態や緊急事態の監視用で利用される場合は、外部制御端子Ｔを介して外部電源が利用できる。
なお、図６の画像管理サーバは、プロバイダーの画像管理サーバを利用してもよいし、自社ＷＥＢサーバに画像管理サーバを設けてもよい。
また、図６より本発明の利用者は、例えば、携帯電話機ＨＰを搭載した車両の異常事態や緊急事態をインターネット接続した携帯電話や端末機であればどれでも利用できるようになっている。
【実施例４】
【００５５】  図４と図５と図６に示す本発明の実施の形態例では、ＨＰは本発明の異常・緊急事態検知手段としての携帯電話機でインターネット接続機能及び電子メール送受信機能及びデータ送受信機能を備えており、また携帯電話機ＨＰには基本的な機能としてアンテナＡｎやスピーカーＳｐやマイクロフォンＭＰや表示パネルＳｃやキー入力部Ｋや外部制御端子Ｔが設けられており、夫々が携帯電話機ＨＰに内蔵された制御回路ＣＣに接続され夫々の機能を制御するようになっていて、また携帯電話機ＨＰには本実施の形態例の特徴的な機能である物品や構造物や人体の異常事態を検知するセンサーまたは物品や構造物や人体の緊急事態を検知するセンサーの中から選択して少なくとも１種類以上で携帯電話機ＨＰに内蔵される内蔵センサーＳ１が設けられ制御回路ＣＣに接続され制御されるようになっていて、また携帯電話機ＨＰには内蔵センサーＳ１と連動して作動するように内蔵されたデジタルカメラである内蔵カメラＣ１が設けられ制御回路ＣＣに接続され制御されるようになっていて、また携帯電話機ＨＰには内蔵カメラＣ１と連動して作動するように内蔵されたフラッシュライト、ストロボ等の発光手段Ｆ１が設けられ制御回路ＣＣに接続され制御されるようになっている。また携帯電話機ＨＰには現在位置確認手段ＧＰＳが設けられ制御回路ＣＣに接続され制御されるようになっている。
なお、本実施の形態例では、内蔵センサーＳ１や内蔵カメラＣ１や発光手段Ｆ１や現在位置確認手段ＧＰＳは所定の接続具（図示せず）により着脱可能になっていて、本発明の利用者が必要に応じて組合わせて用いることは可能である。
さらに、本実施の形態例では、内蔵センサーＳ１や内蔵カメラＣ１や発光手段Ｆ１や現在位置確認手段ＧＰＳには、目的に応じて上述したセンサーやカメラや発光手段や現在位置確認手段の中から選択して用いればよい。【００５６】  また図４と図５と図６より、本発明を利用した車両の携帯電話機ＨＰに異常事態または緊急事態が生じ、前記事態を検知した内蔵センサーＳ１は制御回路ＣＣに検知信号を送り、制御回路ＣＣの指示により内蔵カメラＣ１は作動し、内蔵カメラＣ１からの画像データや内蔵センサーＳ１からの検知データが制御回路ＣＣに接続され制御されるメモリー手段Ｍに一時記録され、制御回路ＣＣに接続され制御される電子メール送受信機能やデータ送受信機能が作動しインターネット回線を介して所定の画像管理サーバまで通信接続された時にメモリー手段Ｍからの画像データや検知データが画像管理サーバに送信するが、何かの事情で通信接続されない場合は、繰り返し何度でもこれらの動作を繰り返す。また、必要とする場合は、制御回路ＣＣに接続され制御される自動ダイアル機能により、メモリー手段Ｍに事前に登録された一台以上の携帯電話機に所定の日時にメモリー手段Ｍからの画像データや検知データが送信されるが、何かの事情で通信接続されない場合は、繰り返し何度でもこれらの動作を繰り返す。
なお、本発明の携帯電話機ＨＰを長時間固定で異常事態や緊急事態の監視用で利用される場合は、外部制御端子Ｔを介して外部電源が利用できる。
なお、図６の画像管理サーバは、プロバイダーの画像管理サーバを利用してもよいし、自社ＷＥＢサーバに画像管理サーバを設けてもよい。
また、図５の現在位置確認手段により図６に示したＧＰＳ衛星から位置情報を受け取ると、その結果を前記電子メール送受信機能を介して画像管理サーバに送信する。
また、図６より本発明の利用者は、例えば、携帯電話機ＨＰを搭載した車両の異常事態や緊急事態をインターネット接続した携帯電話や端末機であればどれでも利用できるようになっている。
【産業上の利用可能性】
【００５７】
【００５８】  本発明の異常・緊急事態検知手段としての携帯電話機は、異常事態や緊急事態の情報を発信したり受信したりし、インターネット接続機能及び電子メール送受信機能を備えた測定装置としての利用も可能である。
【図面の簡単な説明】
【００５９】
【図１】本発明の実施の形態例を示す概略説明図である。
【図２】本発明の実施の形態例を示す概略説明図である。
【図３】本発明の実施の形態例を示す概略説明図である。
【図４】本発明の実施の形態例を示す概略説明図である。
【図５】本発明の実施の形態例を示すブロック図である。
【図６】本発明の実施の形態例を示す概略説明図である。
【符号の説明】
【００６０】ＨＰ        携帯電話機
Ａｎ        アンテナ
Ｓｐ        スピーカー
ＭＰ        マイクロフォン
Ｓｃ        表示パネル
Ｋ          キー入力部
Ｔ          外部制御端子
ＣＣ        制御回路
Ｓ１，Ｓ２        内蔵センサー
Ｓ３        外部センサー
Ｃ１，Ｃ２        内蔵カメラ
Ｃ３        外部カメラ
Ｆ１，Ｆ２        発光手段
Ｍ          メモリー手段
ＧＰＳ      現在位置確認手段
Ｃｎ１      外部センサー接続部
Ｃｎ２      外部カメラ接続部
Ｃｎ３      外部発光接続手段
【図１】
2005311995.tif 000003
【図２】
2005311995.tif 000004
【図３】
2005311995.tif 000005
【図４】
2005311995.tif 000006
【図５】
2005311995.tif 000007
【図６】
2005311995.tif 000008